(57)【要約】【課題】表示対象を拡大表示するに際して、拡大範囲をわかりやすくするとともに、拡大表示までの操作手数を少なくする。【解決手段】デジタルカメラ１００では、撮影待機画面としてライブビュー（ＬＶ）画像を表示するＬＶ撮影モードにおいて、ＬＶ画像を拡大表示することができる。ＬＶ撮影モードにおいて、システム制御部１０１は、拡大ボタン２０６の押下、又は拡大タッチボタン５０２のタッチダウンに応じて、ＬＶ画像に重畳させて、不揮発性メモリ１１４に記憶された拡大位置に基づく拡大範囲枠５０７を表示する。その後、システム制御部１０１は、拡大ボタン２０６の押下の解放、又は拡大タッチボタン５０２からのタッチアップがあると、拡大範囲枠５０７で示される拡大範囲でＬＶ画像を拡大表示する。【選択図】図１
2018206077.tif 000002
【特許請求の範囲】
【請求項１】
表示手段に表示対象を表示する表示制御装置であって、
前記表示対象における拡大位置の情報を記憶する記憶手段と、
前記表示手段に前記表示対象を表示している際の所定の操作部材の操作の開始に応じて、前記表示対象における、前記記憶手段に記憶された拡大位置の情報に基づく拡大範囲を示す表示を行い、その後、前記所定の操作部材に対する新たな操作の開始がなくとも、前記記憶手段に記憶された拡大位置の情報に基づく拡大範囲で前記表示対象を拡大表示するように制御する表示制御手段とを備えたことを特徴とする表示制御装置。
【請求項２】
前記表示対象は画像であることを特徴とする請求項１に記載の表示制御装置。
【請求項３】
前記表示制御手段は、前記所定の操作部材の操作の解除に応じて、前記拡大表示を実行することを特徴とする請求項１又は２に記載の表示制御装置。
【請求項４】
前記表示制御手段は、前記拡大範囲を示す表示をしてから、予め設定されている最低表示時間が経過するまでに前記所定の操作部材の操作の解除があったときは、前記最低表示時間の経過後に前記拡大表示を実行することを特徴とする請求項３に記載の表示制御装置。
【請求項５】
前記表示制御手段は、前記拡大範囲を示す表示をしてから、予め設定されている最高表示時間が経過するまでに前記所定の操作部材の操作の解除がなかったときは、前記最高表示時間が経過したことに応じて前記拡大表示を実行することを特徴とする請求項３又は４に記載の表示制御装置。
【請求項６】
前記所定の操作部材はボタンであって、該ボタンの押下が操作の開始であり、前記押下の解放が操作の解除であることを特徴とする請求項３乃至５のいずれか１項に記載の表示制御装置。
【請求項７】
前記所定の操作部材はタッチパネルであって、前記タッチパネルの所定のタッチアイコンへのタッチの開始が操作の開始であり、前記所定のタッチアイコンからタッチが離されたことが操作の解除であることを特徴とする請求項３乃至５のいずれか１項に記載の表示制御装置。
【請求項８】
前記所定のタッチアイコンのタッチの開始後に、前記所定のタッチアイコンの領域の外へタッチ位置が移動されると、前記拡大範囲を示す表示を非表示にするとともに前記拡大表示を実行しないことを特徴とする請求項７に記載の表示制御装置。
【請求項９】
前記拡大範囲を示す表示は、拡大範囲を示す枠の表示、又は拡大範囲の内外で態様を異ならせる表示であることを特徴とする請求項１乃至８のいずれか１項に記載の表示制御装置。
【請求項１０】
前記表示制御手段は、前記拡大範囲を示す表示として、前記拡大範囲を示す指標を、拡大を表現する表示アイテムを共に表示することを特徴とする請求項１乃至９のいずれか１項に記載の表示制御装置。
【請求項１１】
前記記憶手段は、拡大位置の情報を更新可能に記憶することを特徴とする請求項１乃至１０のいずれか１項に記載の表示制御装置。
【請求項１２】
前記表示手段は撮像装置の表示部であり、
前記表示対象はライブビュー画像であることを特徴とする請求項１乃至１１のいずれか１項に記載の表示制御装置。
【請求項１３】
前記表示制御手段は、フォーカスモードがマニュアルフォーカスモードに設定されている場合に、前記表示手段に前記表示対象を表示している際の所定の操作部材の操作の開始に応じて、前記表示対象における、前記記憶手段に記憶された拡大位置の情報に基づく拡大範囲を示す表示を行い、その後、前記所定の操作部材に対する新たな操作の開始がなくとも、前記記憶手段に記憶された拡大位置の情報に基づく拡大範囲で前記表示対象を拡大表示するように制御し、
フォーカスモードがオートフォーカスを行うモードに設定されている場合には、前記表示手段に前記表示対象を表示している際の所定の操作部材の操作の開始に応じて前記表示対象を拡大表示するように制御することを特徴とする請求項１２に記載の表示制御装置。
【請求項１４】
前記表示対象は再生画像であることを特徴とする請求項１乃至１１のいずれか１項に記載の表示制御装置。
【請求項１５】
表示手段に表示対象を表示する表示制御装置の制御方法であって、
前記表示対象における拡大位置の情報を記憶する記憶ステップと、
前記表示手段に前記表示対象を表示している際の所定の操作部材の操作の開始に応じて、前記表示対象における、前記記憶ステップで記憶された拡大位置の情報に基づく拡大範囲を示す表示を行い、その後、前記所定の操作部材に対する新たな操作の開始がなくとも、前記記憶ステップで記憶された拡大位置の情報に基づく拡大範囲で前記表示対象を拡大表示するように制御する表示制御ステップとを有することを特徴とする表示制御装置の制御方法。
【請求項１６】
コンピュータを、請求項１乃至１４のいずれか１項に記載の表示制御装置の各手段として機能させるためのプログラム。
【請求項１７】
コンピュータを、請求項１乃至１４のいずれか１項に記載の表示制御装置の各手段として機能させるためのプログラムを格納したコンピュータが読み取り可能な記憶媒体。
【発明の詳細な説明】
【技術分野】
【０００１】
本発明は、表示制御装置、その制御方法、プログラム及び記憶媒体に関する。
【背景技術】
【０００２】
撮像装置においては、撮像素子からの出力（ライブビュー画像）を表示部に表示するライブビュー表示を可能としたものがある。特許文献１にあるように、撮影時にピントの確認やより厳密なピント合わせを行うためにライブビュー画像を拡大表示する機能が知られている。また、特許文献２には、液晶モニタ上に指定された光学ズームのズーム段に対応する画角枠とその前後のズーム段に対応する画角枠をライブビュー画像に重ねて表示する構成が開示されている。
【先行技術文献】
【特許文献】
【０００３】
【特許文献１】特開２０１３−２０１５２７号公報
【特許文献２】特開２００７−１７８７３５号公報
【発明の概要】
【発明が解決しようとする課題】
【０００４】
拡大表示を指示する操作を受けて、表示対象であるライブビュー画像が拡大表示されたときに、どの位置が拡大表示されたのかがわかりにくいことがある。
そこで、特許文献１のように、拡大表示を指示する操作を受けて一旦等倍のライブビュー画像を表示した上で拡大範囲を示す指標を重畳させ、その後に拡大表示を指示する新たな操作を受けてライブビュー画像を拡大表示する方式が考えられる。しかしこれでは、拡大表示までの操作手数が増えてしまう。また、ライブビュー画像に拡大範囲を示す指標を常時重畳させて表示する方式も考えられるが、ライブビューの視認性を妨げてしまうおそれがある。
なお、特許文献２では、前後のズーム段に対応する画角枠をライブビュー画像に重ねて表示することにより、ズーム範囲を容易に把握することができるが、光学ズームに対応するものであるため、拡大範囲は中央となる。すなわち、ライブビュー画像等の表示対象の中央以外を拡大表示することは考慮されていない。
【０００５】
本発明は上記のような点に鑑みてなされたものであり、表示対象を拡大表示するに際して、拡大範囲をわかりやすくするとともに、拡大表示までの操作手数を少なくすることを目的とする。
【課題を解決するための手段】
【０００６】
本発明の表示制御装置は、表示手段に表示対象を表示する表示制御装置であって、前記表示対象における拡大位置の情報を記憶する記憶手段と、前記表示手段に前記表示対象を表示している際の所定の操作部材の操作の開始に応じて、前記表示対象における、前記記憶手段に記憶された拡大位置の情報に基づく拡大範囲を示す表示を行い、その後、前記所定の操作部材に対する新たな操作の開始がなくとも、前記記憶手段に記憶された拡大位置の情報に基づく拡大範囲で前記表示対象を拡大表示するように制御する表示制御手段とを備えたことを特徴とする。
【発明の効果】
【０００７】
本発明によれば、表示対象を拡大表示するに際して、拡大範囲をわかりやすくするとともに、拡大表示までの操作手数を少なくすることができる。
【図面の簡単な説明】
【０００８】
【図１】実施形態に係るデジタルカメラの構成例を示すブロック図である。
【図２】実施形態に係るデジタルカメラの外観図である。
【図３】実施形態におけるライブビュー撮影モード処理を示すフローチャートである。
【図４】ライブビュー撮影モード処理でのライブビュー拡大モード処理の詳細を示すフローチャートである。
【図５】ライブビュー表示の例を示す図である。
【発明を実施するための形態】
【０００９】
以下、添付図面を参照して、本発明の好適な実施形態について説明する。本実施形態では、デジタルカメラが表示制御装置として機能する例を説明する。
図１は、実施形態に係るデジタルカメラ１００の構成例を示すブロック図である。また、図２は、実施形態に係るデジタルカメラ１００の外観図である。
撮影レンズ１０４は、ズームレンズ、フォーカスレンズを含むレンズ群である。シャッター１０５は、絞り機能を備える。撮像部１０６は、光学像を電気信号に変換するＣＣＤやＣＭＯＳ素子等の撮像素子を含んで構成される。Ａ／Ｄ変換器１０７は、撮像部１０６から出力されるアナログ信号をデジタル信号に変換する。バリア１０３は、撮影レンズ１０４を含む撮像系を覆うことにより、撮像系の汚れや破損を防止する。
【００１０】
画像処理部１０２は、Ａ／Ｄ変換器１０７からのデータ、又はメモリ制御部１０８からのデータに対して所定の画素補間、縮小といったリサイズ処理や色変換処理を行う。また、画像処理部１０２は、撮像した画像データを用いて所定の演算処理を行い、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０２は更に、撮像した画像データを用いて所定の演算処理を行い、得られた演算結果に基づいてＴＴＬ方式のＡＷＢ（オートホワイトバランス）処理を行う。
【００１１】
Ａ／Ｄ変換器１０７からのデータは、画像処理部１０２及びメモリ制御部１０８を介して、又はメモリ制御部１０８を介してメモリ１０９に書き込まれる。メモリ１０９は、撮像部１０６により得られてＡ／Ｄ変換器１０７によりデジタルデータに変換された画像データや、表示部１１１に表示するための画像データを格納する。メモリ１０９は、所定枚数の静止画像のデータや所定時間の動画像及び音声のデータを格納するのに十分な記憶容量を備える。また、メモリ１０９は、画像表示用のメモリ（ビデオメモリ）を兼ねる。
【００１２】
Ｄ／Ａ変換器１１０は、メモリ１０９に格納されている画像表示用のデータをアナログ信号に変換して表示部１１１に供給する。こうしてメモリ１０９に書き込まれた表示用の画像データは、Ｄ／Ａ変換器１１０を介して表示部１１１により表示される。表示部１１１は、ＬＣＤ等の表示器上に、Ｄ／Ａ変換器１１０からのアナログ信号に応じた表示を行う。Ａ／Ｄ変換器１０７により一度Ａ／Ｄ変換されてメモリ１０９に蓄積されたデジタル信号をＤ／Ａ変換器１１０においてアナログ変換し、表示部１１１に逐次転送して表示することができる。これにより電子ビューファインダとして機能し、ライブビュー画像を表示するライブビューが実現される。以下、ライブビューをＬＶと記す。
【００１３】
システム制御部１０１は、少なくとも一つのプロセッサー又は回路により構成され、デジタルカメラ１００全体を制御する。例えばシステム制御部１０１は、メモリ１０９、Ｄ／Ａ変換器１１０、表示部１１１等を制御することにより表示制御を行う。
不揮発性メモリ１１４は、電気的に消去及び記録可能なメモリであり、例えばＥＥＰＲＯＭ等が用いられる。不揮発性メモリ１１４には、システム制御部１０１の動作用の定数、プログラム等が記憶される。ここでいうプログラムとは、後述する各種フローチャートを実行するためのプログラムを含み、システム制御部１０１が不揮発性メモリ１１４に記憶されたプログラムを実行することにより、本実施形態の各処理が実現される。
システムメモリ１１２は、例えばＲＡＭが用いられ、システム制御部１０１の動作用の定数、変数、不揮発性メモリ１１４から読み出したプログラム等を展開する。
システムタイマー１１３は、各種制御に用いる時間や、内蔵された時計の時間を計測する計時部である。
【００１４】
シャッターボタン１１５、モード切替ダイヤル１１８、電源ボタン１１９、操作部１２０は、システム制御部１０１に各種の動作指示を入力するための操作手段である。モード切替ダイヤル１１８は、デジタルカメラ１００の動作モードを静止画記録モード、動画記録モード、再生モード、及び各動作モードに含まれる詳細モードに切り替える。第１シャッタースイッチ１１６は、シャッターボタン１１５の操作途中、いわゆる半押し（撮影準備指示）でオンとなり第１シャッタースイッチ信号ＳＷ１を発生する。システム制御部１０１は、第１シャッタースイッチ信号ＳＷ１により、ＡＦ処理、ＡＥ処理、ＡＷＢ処理、ＥＦ処理等の動作を開始する。第２シャッタースイッチ１１７は、シャッターボタン１１５の操作完了、いわゆる全押し（撮影指示）でオンとなり、第２シャッタースイッチ信号ＳＷ２を発生する。システム制御部１０１は、第２シャッタースイッチ信号ＳＷ２により、撮像部１０６からの信号読み出しから記録媒体１２４に画像データを書き込むまでの一連の撮影処理の動作を開始する。電源ボタン１１９は、デジタルカメラ１００の電源のオン／オフを指示する。操作部１２０の詳細は後述する。
【００１５】
電源制御部１２１は、電池検出回路、ＤＣ−ＤＣコンバータ、通電するブロックを切り替えるスイッチ回路等により構成され、電源ボタン１１９の状態、電池の装着の有無、電池の種類、電池残量の検出を行う。また、電源制御部１２１は、その検出結果及びシステム制御部１０１の指示に基づいてＤＣ−ＤＣコンバータを制御し、必要な電圧を必要な期間、記録媒体１２４を含む各部に供給する。電源部（電池）１２２は、アルカリ電池やリチウム電池等の一次電池やＮｉＣｄ電池やＮｉＭＨ電池、Ｌｉ電池等の二次電池、ＡＣアダプター等からなる。図２に示すように、デジタルカメラ１００の底面から電池１２２を挿入することができ、開閉可能なカバー２０７で蓋をすることができる。
【００１６】
記録媒体Ｉ／Ｆ１２３は、メモリカードやハードディスク等の記録媒体１２４とのインタフェースである。記録媒体１２４は、撮影された画像を記録するためのメモリカード等の記録媒体であり、半導体メモリや磁気ディスク等から構成される。図２に示すように、デジタルカメラ１００の底面から記録媒体１２４を挿入でき、開閉可能なカバー２０７で蓋をすることができる。
音声制御部１２５は、音声を生成し、スピーカー１２６は、音声制御部１２５で生成された音声を発音させる。これにより、デジタルカメラ１００は、警告等の通知を音声で行うことができる。
ズーム操作部１２８は、システム制御部１０１の制御下で、撮影レンズ１０４に含まれるズームレンズを駆動する。
【００１７】
ここで、操作部１２０の詳細を説明する。
操作部１２０の各操作部材は、表示部１１１に表示される種々の機能アイコンを選択操作すること等により、場面毎に適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば図２に示すメニューボタン２０１が押されると、表示部１１１に各種の設定可能なメニュー画面が表示される。ユーザは、表示部１１１に表示されたメニュー画面と、上下左右の４方向にボタンを備えた十字キー（方向指示キー）２０２やＳＥＴボタン２０３とを用いて直感的に各種設定を行うことができる。コントローラホイール２０４、電子ダイヤル２０５は、操作部１２０に含まれる回転操作可能な操作部材であり、十字キー２０２と共に選択項目を指示する際等に使用される。コントローラホイール２０４や電子ダイヤル２０５を回転操作すると、操作量に応じて電気的なパルス信号が発生し、このパルス信号に基づいてシステム制御部１０１はデジタルカメラ１００の各部を制御する。このパルス信号によって、コントローラホイール２０４や電子ダイヤル２０５が回転操作された角度や、何回転したか等を判定することができる。なお、コントローラホイール２０４や電子ダイヤル２０５は、回転操作が検出できる操作部材であればどのようなものでもよい。例えばユーザの回転操作に応じてコントローラホイール２０４や電子ダイヤル２０５自体が回転してパルス信号を発生するダイヤル操作部材であってもよい。また、タッチセンサよりなる操作部材で、コントローラホイール２０４自体は回転せず、コントローラホイール２０４上でのユーザの指の回転動作等を検出するものであってもよい（いわゆる、タッチホイール）。
【００１８】
また、操作部１２０の一つとして、拡大ボタン２０６を備える。拡大ボタン２０６は、表示部１１１に表示されるＬＶ画像の拡大表示を指示するのに使用される。
【００１９】
また、操作部１２０の一つとして、表示部１１１に対する接触を検出可能なタッチパネル１２７を備える。タッチパネル１２７は、表示部１１１と一体的に構成される。例えばタッチパネル１２７を光の透過率が表示部１１１の表示を妨げないように構成し、表示部１１１の表示面の上層に取り付ける。そして、タッチパネル１２７における入力座標と、表示部１１１上の表示座標とを対応付ける。これにより、恰もユーザが表示部１１１上に表示された画面を直接的に操作可能であるかのようなＧＵＩ（Graphical User Interface）を構成することができる。
【００２０】
システム制御部１０１は、タッチパネル１２７に対する指やペン（以下、指等と記す）によるタッチ操作を検出することができる。タッチ操作としては、以下のようなものがある。
・タッチパネル１２７にタッチしていなかった指等が新たにタッチパネル１２７にタッチしたこと。すなわち、タッチの開始（以下、タッチダウン（Touch-Down）と称する）。
・タッチパネル１２７を指等でタッチしている状態であること（以下、タッチオン（Touch-On）と称する）。
・タッチパネル１２７を指等でタッチしたまま移動していること（以下、タッチムーブ（Touch-Move）と称する）。
・タッチパネル１２７にタッチしていた指等を離したこと。すなわち、タッチの終了（以下、タッチアップ（Touch-Up）と称する）。
・タッチパネル１２７に何もタッチしていない状態（以下、タッチオフ（Touch-Off）と称する）。
タッチダウンが検出されると、同時にタッチオンであることも検出される。タッチダウン後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指等がタッチアップしたことが検出された後は、タッチオフとなる。
【００２１】
タッチパネル１２７上に指等がタッチしている位置座標は内部バスを通じてシステム制御部１０１に通知され、システム制御部１０１は、通知された情報に基づいてタッチパネル１２７上にどのようなタッチ操作が行われたかを判定することができる。タッチムーブについては、タッチパネル１２７上で移動する指等の移動方向についても、位置座標の変化に基づいて、タッチパネル１２７上の垂直成分及び水平成分毎に判定する。所定の距離以上をタッチムーブしたことが検出された場合は、スライド操作が行われたと判定するものとする。タッチパネル１２７上に指等をタッチしたままある程度の距離だけ素早く動かして、そのまま離すといった操作をフリックと呼ぶ。フリックは、言い換えればタッチパネル１２７上を指等ではじくように素早くなぞる操作である。所定の距離以上を、所定の速度以上でタッチムーブしたことが検出され、そのままタッチアップが検出されると、フリックが行われたと判定する（スライド操作に続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。
なお、タッチパネルとしては、抵抗膜方式や静電容量方式、表面弾性波方式、赤外線方式、電磁誘導方式、画像認識方式、光センサ方式等、様々な方式が知られているが、そのうちいずれの方式のものを用いてもよい。方式によって、タッチパネルに対する接触があったことでタッチがあったと検出する方式や、タッチパネルに対する指等の接近があったことでタッチがあったと検出する方式ものがあるが、いずれの方式でもよい。
【００２２】
本実施形態に係るデジタルカメラ１００では、撮影待機画面としてＬＶ画像を表示するＬＶ撮影モードにおいて、ＬＶ画像を拡大表示することができる。ＬＶ画像を拡大表示することにより、拡大範囲に含まれる被写体を詳細に確認することができ、ピント合わせ等をより厳密に行うことができる。本実施形態では、ＬＶ画像の拡大倍率を等倍（１倍）、５倍、１０倍のいずれかに切り替えることができる。以下に詳述するが、フォーカスモードがＭＦモード（マニュアルフォーカスモード）に設定されている場合、拡大ボタン２０６の押下、又は拡大タッチボタン５０２のタッチダウンに応じて、ＬＶ画像に重畳させて、不揮発性メモリ１１４に記憶された拡大範囲の情報（拡大位置及び拡大倍率）に基づく拡大範囲枠５０７を表示する。不揮発性メモリ１１４には、拡大範囲の情報が更新可能に記憶され、前回のＬＶ拡大モードで設定された拡大範囲が記憶されている。その後、拡大ボタン２０６の押下の解放（リリース、解除）、又は拡大タッチボタン５０２からのタッチアップがあると、拡大範囲枠５０７で示される拡大範囲でＬＶ画像を拡大表示する。
【００２３】
以下、ＬＶ撮影モード処理の詳細について説明する。
図３に、デジタルカメラ１００におけるＬＶ撮影モード処理を示す。図３のフローチャートは、システム制御部１０１が、不揮発性メモリ１１４に記憶されたプログラムをシステムメモリ１１２に展開して実行することにより実現される。図３のフローチャートは、デジタルカメラ１００の電源がオンとなり、ＬＶ撮影モードに設定されると開始される。
ステップＳ３０１で、システム制御部１０１は、表示部１１１にＬＶ表示を行う。システム制御部１０１は、表示部１１１に、撮影待機画面としてＬＶ画像を表示するとともに、各種情報を表示する。このときのＬＶ表示は等倍表示であり、ＬＶ画像の全体が表示部１１１に収まるように表示される。
【００２４】
ステップＳ３０２で、システム制御部１０１は、フォーカスモードがＡＦモードに設定されているか否かを判定する。ＡＦモードに設定されている場合、ステップＳ３０３に進み、そうでない場合（ＭＦモードに設定されている場合）、ステップＳ３０５に進む。
【００２５】
ここで、図５（ａ）〜図５（ｄ）に、フォーカスモードがＡＦモードに設定されている場合のＬＶ表示の例を示す。図５（ａ）は、フォーカスモードがＡＦモードである場合に、ステップＳ３０１で表示されるＬＶ表示の例である。等倍のＬＶ画像５００に重畳して、ピント合わせ範囲を示す枠であるＡＦ枠５０１と、拡大タッチボタン５０２とが表示される。拡大タッチボタン５０２は、ＬＶ画像の拡大表示を指示するのに使用されるタッチアイコンである。また、情報表示の設定状態に応じて、各種情報（絞り／シャッタースピード／ＩＳＯ感度／露出補正の少なくとも一つを含む露出設定や撮影モード等の撮影設定、静止画の残り撮影可能枚数、動画の残り撮影可能時間、電池残量）等が表示される。
【００２６】
また、図５（ｅ）〜図５（ｉ）に、フォーカスモードがＭＦモードに設定されている場合のＬＶ表示の例を示す。図５（ｅ）は、フォーカスモードがＭＦモードである場合に、ステップＳ３０１で表示されるＬＶ表示の例である。ＭＦモードであるので、図５（ａ）に示すようなＡＦ枠５０１は表示されない。また、等倍のＬＶ画像５００に重畳して、拡大タッチボタン５０２が表示される。さらに、ＭＦモードであることを示す表示アイテムとして、例えば「ＭＦ」との文字列が表示される。また、情報表示の設定状態に応じて、各種情報（絞り／シャッタースピード／ＩＳＯ感度／露出補正の少なくとも一つを含む露出設定や撮影モード等の撮影設定、静止画の残り撮影可能枚数、動画の残り撮影可能時間、電池残量）等が表示される。
【００２７】
ステップＳ３０３で、システム制御部１０１は、ＡＦ枠の移動操作があったか否かを判定する。ＡＦ枠５０１は、十字キー２０２の操作、又はタッチパネル１２７のタッチ操作に応じて位置を変更可能である。ＡＦ枠の移動操作があった場合、ステップＳ３０４に進み、ＡＦ枠の移動操作がない場合、ステップＳ３０５に進む。
ステップＳ３０４で、システム制御部１０１は、ＡＦ枠の移動操作に応じてＡＦ枠５０１を移動し、移動後のＡＦ枠５０１の位置を不揮発性メモリ１１４に記憶する（ＡＦ枠位置の更新）。ＡＦ枠の移動操作が十字キー２０２の操作であった場合、移動前のＡＦ枠５０１の位置から、十字キー２０２のうち操作されたキーの方向に操作された量（回数や時間）に応じた移動量でＡＦ枠５０１を移動させる。ＡＦ枠の移動操作がＬＶ画像上かつタッチアイコン等の表示アイテム上でない位置へのタッチダウンであった場合、移動前のＡＦ枠５０１の位置に関わらず、タッチダウン位置にＡＦ枠５０１を移動させる。なお、ここではタッチダウン位置にＡＦ枠５０１を移動させる仕様としたが、タッチアップ位置にＡＦ枠５０１を移動させる仕様としてもよい。ＡＦ枠５０１を移動させると、それに連動させて、不揮発性メモリ１１４に記憶された拡大位置を更新する。不揮発性メモリ１１４には、前回の（言い換えれば、最後の）ＬＶ拡大モードで設定された拡大範囲の情報（拡大位置及び拡大倍率）が記憶されているが、移動後のＡＦ枠５０１の中央を、拡大表示の中央とするように拡大位置を更新する。
【００２８】
ステップＳ３０５で、システム制御部１０１は、拡大ボタン２０６の操作の開始があったか否か、すなわち拡大ボタン２０６の押下があったか否かを判定する。拡大ボタン２０６の押下があった場合、ステップＳ３０７に進み、拡大ボタン２０６の押下がない場合、ステップＳ３０６に進む。
ステップＳ３０６で、システム制御部１０１は、拡大タッチボタン５０２の操作の開始があったか否か、すなわち拡大タッチボタン５０２のタッチダウンがあったか否かを判定する。拡大タッチボタン５０２のタッチダウンがあった場合、ステップＳ３０７に進み、拡大タッチボタン５０２のタッチダウンがない場合、ステップＳ３２１に進む。
【００２９】
ステップＳ３０７で、システム制御部１０１は、不揮発性メモリ１１４に記憶された拡大位置を示す情報を取得する。これは例えば、拡大範囲の中心を示す座標情報である。
ステップＳ３０８で、システム制御部１０１は、ステップＳ３０７で取得した拡大倍率が等倍であるか否かを判定する。等倍である場合、ステップＳ３２０に進む。この場合、ＬＶ画像の拡大表示は実行されない。等倍でない場合、すなわち等倍より大きい倍率である（本実施形態では５倍又は１０倍である）場合、ステップＳ３０９に進む。
ステップＳ３０９で、システム制御部１０１は、フォーカスモードがＭＦモードに設定されているか否かを判定する。ＭＦモードに設定されている場合、ステップＳ３１０に進み、そうでない場合（ＡＦモードに設定されている場合）、ステップＳ３１９に進む。
【００３０】
ステップＳ３１０で、システム制御部１０１は、ステップＳ３０７で取得した拡大倍率が５倍であるか否かを判定する。５倍である場合、ステップＳ３１１に進み、そうでない（本実施形態では１０倍である）場合、ステップＳ３１２に進む。
ステップＳ３１１で、システム制御部１０１は、５倍の拡大範囲を示す指標として拡大範囲枠を表示する。このとき、ＬＶ画像は拡大表示しない。
図５（ｆ）に、ステップＳ３１１におけるＬＶ表示の例を示す。図５（ｆ）は、拡大ボタン２０６の押下継続中、又は拡大タッチボタン５０２のタッチ継続中の表示例である。等倍のＬＶ画像５００に重畳して、拡大範囲枠５０７が表示される。拡大範囲枠５０７は、ステップＳ３０７で取得した拡大位置と拡大倍率で拡大表示した場合のＬＶ画像の範囲を示す。ユーザは、等倍のＬＶ画像５００に重畳された拡大範囲枠５０７を見ることにより、拡大した場合にＬＶ画像のどの位置がどの程度の大きさで拡大表示されるのかを、拡大表示を行う前に容易に把握することができる。これにより、ＬＶ画像を拡大表示したときに、どの位置が拡大表示されたのかがわからずに混乱が生じる可能性を低減することができる。
【００３１】
拡大範囲枠５０７は、ＡＦモードの際に表示されるＡＦ枠５０１と区別しやすいように、拡大を表現する表示アイテム５０８と共に表示される。表示アイテム５０８は、ユーザが拡大範囲枠であることを理解しやすいように、例えば虫眼鏡を模したものとしている。ただし、これに限るものではなく、ユーザが拡大範囲枠であることを理解するのに補助となるものであれば、他のモチーフや「拡大」といった文字列であってもよい。また、拡大範囲枠５０７とＡＦ枠５０１とで色、線の種類（実線／破線、太さ等）等を異ならせて、区別しやすいようにしてもよい。また、拡大範囲を示す指標となるものであれば、本実施形態のように枠に限らず、拡大範囲の内外で態様を異ならせた表示（例えば拡大範囲内をフルカラー、範囲外をモノクロ表示する又は斜線を付して表示する）であってもよい。
拡大範囲枠５０７は、ＭＦモードに設定されている場合に表示し、ＡＦモードに設定されている場合には表示しないものとする。これは、ＡＦモードでの撮影待機状態ではＡＦ枠５０１が表示されるため、拡大範囲枠５０７を表示すると枠が２つ存在することになり、どちらがＡＦ範囲を示しているかわかりにくくなり煩雑となるためである。また、ＡＦモードでの撮影待機状態で、ＡＦ枠５０１を非表示として拡大範囲枠５０７を表示したとしても、拡大範囲枠５０７がＡＦ枠であると誤認識されるおそれがあるためである。また、拡大前に表示していたＡＦ枠５０１を中央に拡大表示するのであれば、拡大範囲枠５０７を表示しなくても、どの位置が拡大表示されるのかを容易に把握することができる。
【００３２】
ステップＳ３１２で、システム制御部１０１は、１０倍の拡大範囲を示す指標として拡大範囲枠を表示する。このとき、ＬＶ画像は拡大表示しない。このときの表示例は省略するが、１０倍の拡大範囲枠は、図５（ｆ）に示すような５倍の拡大範囲枠に比べて小さい枠として表示される。
【００３３】
ステップＳ３１３で、システム制御部１０１は、拡大ボタン２０６の押下継続中、又は拡大タッチボタン５０２のタッチ継続中に、拡大範囲枠の移動操作があったか否かを判定する。拡大範囲枠の移動操作があった場合、ステップＳ３１４に進み、拡大範囲枠の移動操作がない場合、ステップＳ３１５に進む。
ステップＳ３１４で、システム制御部１０１は、拡大範囲枠の移動操作に応じて拡大範囲枠５０７を移動するとともに、不揮発性メモリ１１４に記憶された拡大位置を、移動後の拡大範囲枠５０７の拡大位置で更新する。
【００３４】
ステップＳ３１５では、システム制御部１０１は、拡大タッチボタン５０２からのムーブアウトがあったか否かを判定する。拡大タッチボタン５０２からのムーブアウトとは、拡大タッチボタン５０２のタッチ反応領域内にタッチされている状態からタッチが離されることなく行われる拡大タッチボタン５０２のタッチ反応領域外へのタッチムーブである。拡大タッチボタン５０２からのムーブアウトがあった場合、ステップＳ３１６に進み、拡大タッチボタン５０２からのムーブアウトがない場合、ステップＳ３１７に進む。
ステップＳ３１６で、システム制御部１０１は、拡大範囲枠５０７を非表示として、ステップＳ３０１に処理を戻す。これにより、拡大タッチボタン５０２にタッチダウンして拡大範囲枠５０７を表示させて拡大範囲を確認した後、拡大タッチボタン５０２からムーブアウトすることにより、拡大表示することなく拡大範囲枠５０７を表示する前の状態に戻ることができる。
【００３５】
ステップＳ３１７で、システム制御部１０１は、拡大ボタン２０６の押下が解除されたか否か、すなわち拡大ボタン２０６の押下が解放されたか否かを判定する。拡大ボタン２０６の押下が解放された場合、ステップＳ３１９に進み、そうでない場合、ステップＳ３１８に進む。このように、拡大ボタン２０６の押下が解放されるまで拡大範囲枠５０７を確認することができるので、ゆっくりと拡大範囲枠５０７を確認したい場合、ユーザは拡大ボタン２０６の押下を継続すればよい。
ステップＳ３１８で、システム制御部１０１は、拡大タッチボタン５０２のタッチダウンが解除されたか否か、すなわち拡大タッチボタン５０２からのタッチアップがあったか否かを判定する。拡大タッチボタン５０２からのタッチアップがあった場合、ステップＳ３１９に進み、そうでない場合、ステップＳ３１３に処理を戻す。このように、拡大タッチボタン５０２からのタッチアップがあるまで拡大範囲枠５０７を確認することができるので、ゆっくり拡大範囲枠５０７を確認したい場合、ユーザは拡大タッチボタン５０２のタッチを継続すればよい。
なお、図３では、ステップＳ３１７及びＳ３１８の両方を示すが、拡大ボタン２０６の押下によって拡大範囲枠５０７を表示した場合にはステップＳ３１７が、拡大タッチボタン５０２のタッチダウンによって拡大範囲枠５０７を表示した場合にはステップＳ３１８が行われるようにすればよい。
【００３６】
ステップＳ３１９で、システム制御部１０１は、ステップＳ３０７で取得した拡大位置（ステップＳ３１４で拡大位置が更新された場合はその更新後の拡大位置）及び拡大倍率で、ＬＶ画像を拡大表示する。
ステップＳ３２０で、システム制御部１０１は、ＬＶ拡大モード処理を行う。ＬＶ拡大モード処理については図４を用いて後述する。
【００３７】
ステップＳ３２１で、システム制御部１０１は、設定変更操作があったか否かを判定する。設定変更操作があった場合、ステップＳ３２２に進み、操作に応じて設定を変更し、設定変更操作がない場合、ステップＳ３２３に進む。例えば電子ダイヤル２０５の回転操作に応じて、シャッター速度又は絞り値を変更する。また、操作部１２０に含まれるＡＦ／ＭＦ切替ボタンの操作に応じて、フォーカスモードをＡＦモード／ＭＦモードを切り替える。
【００３８】
ステップＳ３２３で、システム制御部１０１は、シャッターボタン１１５が半押しされてＳＷ１がオンとなったか否かを判定する。ＳＷ１がオンとなった場合、ステップＳ３２４に進み、ＳＷ１がオンとなっていない場合、ステップＳ３３０に進む。
ステップＳ３２４で、システム制御部１０１は、フォーカスモードがＡＦモードに設定されているか否かを判定する。ＡＦモードに設定されている場合、ステップＳ３２５に進み、そうでない場合（ＭＦモードに設定されている場合）、ステップＳ３２６に進む。
ステップＳ３２５で、システム制御部１０１は、ＡＦ枠５０１の位置に基づいてＡＦ処理を行う。
ステップＳ３２６で、システム制御部１０１は、ＡＥやＡＷＢ等のその他の撮影準備処理を行う。
ステップＳ３２７で、システム制御部１０１は、シャッターボタン１１５が全押しされてＳＷ２がオンとなったか否かを判定する。ＳＷ２がオンとなった場合、ステップＳ３２８に進み、ＳＷ２がオンとなっていない場合、ステップＳ３２９に進む。
ステップＳ３２８で、システム制御部１０１は、撮像部１０６での撮像を行って撮像された画像を画像ファイルとして記録媒体１２４に記録するまでの一連の撮影処理を行う。
ステップＳ３２９で、システム制御部１０１は、ＳＷ１のオンが継続しているか否かを判定する。ＳＷ１がオンである場合、ステップＳ３２７に処理を戻し、ＳＷ１がオフである場合、ステップＳ３３０に進む。
【００３９】
ステップＳ３３０で、システム制御部１０１は、その他の操作が行われたか否かを判定する。その他の操作があった場合、ステップＳ３３１に進み、その他の操作がない場合、ステップＳ３３２に進む。
ステップＳ３３１で、システム制御部１０１は、その他の操作に応じた処理を行う。例えばメニュー画面を表示させて各種の設定や、ＬＶ画像に重畳して表示する情報の種別と数を変更する情報表示切り替え等を行うことができる。
ステップＳ３３２で、システム制御部１０１は、ＬＶ撮影モードの終了イベントがあったか否かを判定する。終了イベントとは、例えば電源をオフとする操作や、再生モード等のＬＶ撮影モード以外の動作モードへの切り替え指示等が含まれる。終了イベントがない場合、ステップＳ３０１に処理を戻し、終了イベントがあった場合、ＬＶ撮影モード処理を終了する。
【００４０】
図４に、図３のステップＳ３２０のＬＶ拡大モード処理の詳細を示す。図４のフローチャートは、システム制御部１０１が、不揮発性メモリ１１４に記憶されたプログラムをシステムメモリ１１２に展開して実行することにより実現される。
ステップＳ４０１で、ＬＶ拡大モードの表示を行う。
図５（ｂ）は、フォーカスモードがＡＦモードであり、拡大倍率が５倍である場合のＬＶ拡大モードでの表示例を示す。図５（ｂ）に示すように、５倍に拡大表示されたＬＶ画像５１０に重畳して、ＡＦ枠５０３と、拡大範囲を示すインジケータ５０４とが表示される。ＡＦ枠５０３は、不揮発性メモリ１１４に記憶された現在のＡＦ位置を示すように表示される。なお、本実施形態においてはＡＦ位置と拡大位置は連動しており、５倍に拡大したＬＶ画像を表示する図５（ｂ）の例では、画面中央（すなわち、拡大範囲の中央）がＡＦ枠５０３の中央となる。インジケータ５０４は、ＬＶ画像全体を示す外枠と、そのうち現在表示されている範囲（拡大範囲）を示す内枠とからなる。拡大倍率変更タッチボタン５０５は、ＬＶ拡大モードにおける拡大倍率を変更するためのタッチアイコンである。拡大倍率変更タッチボタン５０５に対するタップ操作（タッチしてからタッチムーブすることなくタッチアップする操作）がある度に、拡大倍率を５倍、１０倍、等倍、５倍…と変更する。また、拡大倍率変更タッチボタン５０５は、電子ダイヤル２０５の回転操作でも拡大倍率を変更可能であることを示す操作ガイドとしての役割も果たす。戻るタッチボタン５０６は、ＬＶ拡大モードから撮影待機画面に戻る指示を受け付けるためのタッチアイコンである。また、ＬＶ拡大モードにおいては、撮影待機画面と異なり、各種情報（絞り／シャッタースピード／ＩＳＯ感度／露出補正の少なくとも一つを含む露出設定や撮影モード等の撮影設定、静止画の残り撮影可能枚数、動画の残り撮影可能時間、電池残量）は表示しない。拡大表示されたＬＶ画像の視認を妨げないようにするためである。
図５（ｃ）は、フォーカスモードがＡＦモードであり、拡大倍率が１０倍である場合のＬＶ拡大モードでの表示例を示す。ＬＶ画像５２０が１０倍に拡大表示されたものである点と、インジケータ５０４が示す範囲が１０倍の範囲（画像全体に対するより狭い範囲）である点以外は、図５（ｂ）と同様である。
図５（ｄ）は、フォーカスモードがＡＦモードであり、拡大倍率が等倍である場合のＬＶ拡大モードでの表示例を示す。ＡＦ枠５０３は画面中央でなく、等倍のＬＶ画像５００の全体に対する設定されている位置を示すように表示される。また、インジケータ５０４では、内枠が外枠と略同等の範囲を示しており、拡大が行われていない状態であることを示す。その他は、図５（ｂ）と同様である。
【００４１】
図５（ｇ）は、フォーカスモードがＭＦモードであり、拡大倍率が５倍である場合のＬＶ拡大モードでの表示例を示す。ＭＦモードであるので、図５（ｂ）に示すようなＡＦ枠５０３は表示されない。また、ＭＦモードであることを示す文字列「ＭＦ」が表示される。その他は、ＡＦモードでの図５（ｂ）と同様である。
図５（ｈ）は、フォーカスモードがＭＦモードであり、拡大倍率が１０倍である場合のＬＶ拡大モードでの表示例を示す。ＬＶ画像５２０が１０倍に拡大表示されたものである点と、インジケータ５０４が示す範囲が１０倍の範囲（画像全体に対するより狭い範囲）である点以外は、図５（ｇ）と同様である。
図５（ｉ）は、フォーカスモードがＭＦモードであり、拡大倍率が等倍である場合のＬＶ拡大モードでの表示例を示す。インジケータ５０４では、内枠が外枠と略同等の範囲を示しており、拡大が行われていない状態であることを示す。また、ＡＦ枠５０３が表示されない代わりに、拡大範囲枠５０７が表示される。拡大範囲枠５０７は、不揮発性メモリ１１４に記憶された拡大位置を示すとともに、拡大倍率変更操作を行った場合に次に設定される拡大倍率である５倍に拡大した場合の拡大範囲を示す。その他は、図５（ｇ）と同様である。
【００４２】
ステップＳ４０２で、システム制御部１０１は、拡大位置の変更操作があったか否かを判定する。拡大位置の変更操作は、拡大倍率が５倍又は１０倍の場合、十字キー２０２の操作によって行うことができる。また、拡大倍率が等倍の場合、十字キー２０２の操作に加えて、ＬＶ画像上に対するタッチ操作によっても行うことができる。拡大位置の変更操作があった場合、ステップＳ４０３に進み、拡大位置の変更操作がない場合、ステップＳ４０７に進む。
ステップＳ４０３で、システム制御部１０１は、ステップＳ４０２で受け付けた拡大位置の変更操作に応じて、不揮発性メモリ１１４の拡大位置を更新する。
【００４３】
ステップＳ４０４で、システム制御部１０１は、拡大倍率が等倍であるか否かを判定する。等倍である場合、ステップＳ４０５に進み、そうでない場合（本実施形態では５倍又は１０倍の場合）、ステップＳ４０６に進む。
ステップＳ４０５で、システム制御部１０１は、更新された拡大位置に基づいて、等倍のＬＶ画像５００に重畳表示される枠の位置を変更する。フォーカスモードがＡＦモードであれば、図５（ｄ）に示したＡＦ枠５０３の位置を変更する。フォーカスモードがＭＦモードであれば、図５（ｉ）に示した拡大範囲枠５０７の位置を変更する。
ステップＳ４０６で、システム制御部１０１は、更新された拡大位置に基づいて、ＬＶ画像のうち拡大範囲を変更する。
【００４４】
ステップＳ４０７で、システム制御部１０１は、拡大倍率の変更操作があったか否かを判定する。拡大倍率の変更操作は、電子ダイヤル２０５の回転操作、又は拡大倍率変更タッチボタン５０５に対するタップ操作によって行うことができる。拡大倍率の変更操作があった場合、ステップＳ４０８に進み、拡大倍率の変更操作がない場合、ステップＳ４１２に進む。
ステップＳ４０８で、システム制御部１０１は、ステップＳ４０７で受け付けた拡大倍率の変更操作に応じて、不揮発性メモリ１１４の拡大倍率を更新する。電子ダイヤル２０５の回転操作によって拡大倍率の変更が指示された場合、順方向（時計回り）への回転操作である場合には、１コマンド毎に、等倍から５倍、５倍から１０倍、１０倍から等倍へと拡大倍率を変更し、不揮発性メモリ１１４の拡大倍率を更新する。電子ダイヤル２０５の回転操作によって拡大倍率の変更が指示された場合、逆方向（反時計回り）への回転操作であるときには、１コマンド毎に、等倍から１０倍、１０倍から５倍、５倍から等倍へと拡大倍率を変更し、不揮発性メモリ１１４の拡大倍率を更新する。拡大倍率変更タッチボタン５０５に対するタップ操作によって拡大倍率の変更が指示された場合、タップ操作の１回毎に、等倍から５倍、５倍から１０倍、１０倍から等倍へと拡大倍率を変更し、不揮発性メモリ１１４の拡大倍率を更新する。
【００４５】
ステップＳ４０９で、システム制御部１０１は、更新された拡大倍率が等倍であるか否かを判定する。等倍である場合、ステップＳＳ４１０に進み、そうでない場合（本実施形態では５倍又は１０倍の場合）、ステップＳ４１１に進む。
ステップＳ４１０で、システム制御部１０１は、ＬＶ画像の拡大表示を解除して、等倍のＬＶ画像を表示する。このときの表示例は、前述の図５（ｄ）又は図５（ｉ）に示した通りである。
ステップＳ４１１で、システム制御部１０１は、更新された拡大倍率に基づいて、ＬＶ画像の拡大表示を行う。このときの表示例は、図５（ｂ）、（ｃ）又は図５（ｇ）、（ｈ）に示した通りである。
【００４６】
ステップＳ４１２で、システム制御部１０１は、拡大ボタン２０６が押下されたか否かを判定する。拡大ボタン２０６が押下された場合、ステップＳ４１４に進み、拡大ボタン２０６が押下されていない場合、ステップＳ４１３に進む。
ステップＳ４１３で、システム制御部１０１は、戻るタッチボタン５０６に対するタッチ操作（より詳しくはタップ操作）があったか否かを判定する。戻るタッチボタン５０６に対するタッチ操作があった場合、ステップＳ４１４に進み、戻るタッチボタン５０６に対するタッチ操作がない場合、ステップＳ４０２に戻って処理を繰り返す。
ステップＳ４１４で、システム制御部１０１は、現在の拡大倍率（ステップＳ４１２での拡大ボタン２０６の押下直前、又はステップＳ４１３での戻るタッチボタン５０６のタッチ操作直前と同じ倍率）が等倍であったか否かを判定する。等倍でなかった場合、ステップＳ４１５に進み、ＬＶ画像の拡大表示を解除して、等倍のＬＶ画像を表示し、ＬＶ拡大モードを終了する。ＬＶ拡大モードを終了すると、タッチボタン５０５、５０６等は非表示となり、図３のステップＳ３０１に進み、前述した撮影待機画面の表示となる。なお、ＬＶ拡大表示モードを解除しても、ＬＶ拡大モードでユーザによって設定された拡大位置、拡大倍率は不揮発性メモリ１１４に記憶される。すなわち、ステップＳ４１２での拡大ボタン２０６の押下直前、又はステップＳ４１３での戻るタッチボタン５０６のタップ操作直前に記憶されていた拡大位置、拡大倍率は保持される。そして、次に拡大ボタン２０６の押下、又は拡大タッチボタン５０２のタッチダウンがあった場合に、不揮発性メモリ１１４に記憶された、前回のＬＶ拡大モードで設定された拡大位置及び拡大倍率に基づいて拡大範囲枠５０７が表示される。
なお、図４では省略したが、ＬＶ拡大モードにおいても、シャッターボタン１１５の全押し操作があったことに応じて、ステップＳ３２８と同様の撮影処理を行うことができる。したがって、ＬＶ画像を拡大した状態でも撮影を行うことができる。
【００４７】
以上述べたように、ＬＶ撮影モードにおいて、フォーカスモードがＭＦモードに設定されている場合、所定の操作部材の操作の開始（拡大ボタン２０６の押下、又は拡大タッチボタン５０２のタッチダウン）に応じて、ＬＶ画像に重畳して拡大範囲枠５０７が表示される。その後、新たな操作の開始（拡大ボタン２０６の押下、又は拡大タッチボタン５０２のタッチダウン）がなくとも、所定の操作部材の操作の解除（拡大ボタン２０６の押下の解放、又は拡大タッチボタン５０２からのタッチアップ）があると、拡大範囲枠５０７で示される拡大範囲ＬＶ画像が拡大表示される。
このように１回の一連の操作の中で、拡大範囲の確認と拡大表示の実行とを実現することができる。これにより、ＬＶ画像を拡大表示するに際して、拡大範囲をわかりやすくするとともに、拡大表示までの操作手数を少なくすることができる。また、ユーザは１回の一連の操作の中で、拡大範囲の確認と拡大表示の実行とを実現できるので、拡大範囲の確認と拡大表示の実行とをそれぞれ別個に指示することを意識して操作する必要がない。換言すれば、ユーザに対して拡大範囲の確認のための追加の操作を強いることなく、拡大範囲の確認と拡大表示の実行とを実現することができる。さらに、拡大範囲の確認に時間を要することなく素早く拡大表示したい場合には、ユーザは拡大ボタン２０６の押下と解放、又は拡大タッチボタン５０２のタッチダウンとタッチアップを素早く行えばよいだけなので、操作の応答性もよい。このように、ユーザは操作感よく、拡大表示を活用することができる。
【００４８】
以下では、上述した実施形態の変形例を説明する。
実施形態では、図３に示すように、拡大ボタン２０６の押下の解放、又は拡大タッチボタン５０２からのタッチアップに応じてすぐに拡大表示を実行する例を説明した。これは、操作の応答性がよいという利便性がある。一方で、拡大ボタン２０６の押下と解放、又は拡大タッチボタン５０２のタッチダウンとタッチアップが素早く行われた場合、拡大範囲枠５０７の表示を十分に確認できなくなるおそれがある。
そこで、拡大範囲枠５０７を表示してから、予め設定されている最低表示時間が経過するまでに拡大ボタン２０６の押下の解放、又は拡大タッチボタン５０２からのタッチアップがあったときは、最低表示時間の経過後に拡大表示を実行するようにしてもよい。最低表示時間としては例えば０．５秒が設定される。この場合、ステップＳ３１１又はＳ３１２で拡大範囲枠５０７を表示すると、システムタイマー１１３によるカウントを開始し、ステップＳ３１９の前段で最低表示時間に達したか否かを判定する。最低表示時間に達していた場合、ステップＳ３１９に進み、最低表示時間に達していない場合、最低表示時間の経過を待ってからステップＳ３１９に進むようにすればよい。このようにすれば、拡大表示の実行前に、より確実にユーザに拡大範囲を確認させることができ、拡大表示の実行後に拡大範囲がわからなくなる可能性をより低減することができる。
【００４９】
また、拡大範囲枠５０７を表示してから、予め設定されている最高表示時間が経過するまでに拡大ボタン２０６の押下の解放、又は拡大タッチボタン５０２からのタッチアップがなかったときは、最高表示時間の経過後に拡大表示を実行するようにしてもよい。最高表示時間としては例えば２秒が設定される。この場合、ステップＳ３１１又はＳ３１２で拡大範囲枠５０７を表示すると、システムタイマー１１３によるカウントを開始する。そして、ステップＳ３１８でＮｏ（拡大ボタン２０６の押下の解放も拡大タッチボタン５０２からのタッチアップもない）と判定された場合、最高表示時間に達したか否かを判定する。最高表示時間に達していない場合、ステップＳ３１３に戻って処理を繰り返し、最高表示時間に達していた場合、ステップＳ３１９に進む。このようにすることで、拡大ボタン２０６が押下されたまま、又は拡大タッチボタン５０２がタッチされたままであっても、最高表示時間に達したら拡大表示を実行するにすることができる。これにより、拡大ボタン２０６の押下の解放、又は拡大タッチボタン５０２からのタッチアップに応じて拡大表示が実行されるという操作方法がわからずに操作を継続してしまい、拡大表示の実行までに無駄に時間を費やしてしまうことを防止することができる。
上述した最低表示時間と最高表示時間との双方を考慮した形態としてもよい。
【００５０】
また、拡大範囲枠５０７を表示してから、拡大ボタン２０６の押下、又は拡大タッチボタン５０２のタッチダウンが所定の時間以上継続する場合に、拡大範囲枠５０７の位置移動モードに遷移するようにしてもよい。ユーザが拡大範囲枠５０７を確認したが、所望する拡大位置ではなかった可能性があるためである。所定の時間としては例えば２秒が設定される。この場合、ステップＳ３１１又はＳ３１２で拡大範囲枠５０７を表示すると、システムタイマー１１３によるカウントを開始する。そして、ステップＳ３１８でＮｏ（拡大ボタン２０６の押下の解放も拡大タッチボタン５０２からのタッチアップもない）と判定された場合、所定の時間に達したか否かを判定する。所定の時間に達していない場合、ステップＳ３１３に戻って処理を繰り返し、所定の時間に達していた場合、拡大範囲枠５０７の位置移動モードに遷移する。拡大範囲枠５０７の位置移動モードに遷移すると、その後、拡大ボタン２０６の押下が解放、又は拡大タッチボタン５０２からのタッチアップがあっても、拡大表示を実行しない。拡大範囲枠５０７の位置移動モードでは、等倍のＬＶ画像と拡大範囲枠５０７とを表示し、ユーザからの拡大位置の移動操作を受け付け、それに応じて拡大位置を移動する。また、新たな拡大の指示操作があった場合には拡大を実行する。これは基本的には、拡大倍率を等倍とした場合のＬＶ拡大モードの処理と同様である。ただし、ＡＦモードであった場合にも拡大範囲枠５０７を表示する。また、拡大範囲枠５０７の移動が可能な動作状態となったことをユーザが認識しやすいように、拡大範囲枠５０７の色を変えたり、点滅表示したりする等、表示態様を変更するとなおよい。
【００５１】
また、実施形態では、図３に示すように、拡大ボタン２０６の押下継続中又は拡大タッチボタン５０２のタッチ継続中にステップＳ３１３、Ｓ３１４で拡大位置を変更することができる例を説明したが、このタイミングでは拡大位置を変更できないようにしてもよい。この場合は、ステップＳ３１３、Ｓ３１４の処理を省いて、ステップＳ３１５に進むようにすればよい。
【００５２】
また、実施形態では、図３に示すように、フォーカスモードがＭＦモードに設定されている場合に拡大範囲枠５０７を表示し、ＡＦモードに設定されている場合には表示しない例を説明したが、これに限られない。ＡＦモードに設定されている場合であっても、拡大範囲枠５０７を表示するようにしてもよい。この場合、ステップＳ３０９の処理を省いて、ステップＳＳ３１０に進むようにすればよい。ＡＦモードにおいてはＡＦ枠５０１と拡大範囲枠５０７を識別可能に双方表示してもよいし、ＡＦ枠５０１を非表示として拡大範囲枠５０７を表示してもよい。
【００５３】
また、実施形態では、図３に示すように、拡大タッチボタン５０２にタッチダウンして拡大範囲枠５０７を表示させた後、拡大タッチボタン５０２からムーブアウトすることで、拡大表示を実行することなく拡大範囲枠５０７を表示する前の状態に戻す例を説明した。拡大ボタン２０６の押下によって拡大範囲枠５０７を表示させた場合にも、同様に拡大表示を実行することなく拡大範囲枠５０７を表示する前の状態に戻せるようにしてもよい。例えば拡大ボタン２０６の押下によって拡大範囲枠５０７を表示させた状態で、拡大ボタン２０６とは異なる他の操作部を操作した場合に、拡大表示を実行せずに拡大範囲枠５０７を表示する前の状態に戻すようにすることができる。その後、継続していた拡大ボタン２０６の押下が解除されても、拡大表示を実行しない。
【００５４】
なお、実施形態においては、本発明をＬＶ画像の拡大表示に適用した例を説明したが、ＬＶ画像の拡大表示に限るものではなく、例えば再生画像の拡大表示に適用してもよい。例えば撮像された画像を等倍表示（表示領域に合わせて元画像よりは縮小したものであってもよい）している際に、拡大を指示するボタンの押下、又は拡大を指示するタッチアイコンのタッチダウンを検出すると、再生画像を拡大することなく、拡大範囲枠を表示する。そして、拡大を指示するボタンの押下の解放、又は拡大を指示するタッチアイコンからのタッチアップがあると、再生画像の拡大表示を実行する。拡大範囲枠は、前回に拡大操作を行った際に記憶された拡大位置及び拡大倍率に基づく範囲を示すものとすることができる。また、画面中央を３倍拡大する、といったように予め定められた範囲を示すものとしてもよい。また、拡大範囲枠の位置が、画像の属性情報から読込んだＡＦ位置や、顔が検出された範囲となるようにしてもよい。また、画像送りでの画像の切り替え前に表示していた画像に適用していた拡大倍率及び拡大位置に基づく範囲でもよい。
また、撮像装置で撮像された画像に限るものではなく、レイアウトソフトでのレイアウト画面、Ｗｅｂ表示画面、メール表示画面といった種々のドキュメントの表示画面等、その他の拡大表示を行うことが可能な表示対象に適用することが可能である。
【００５５】
以上、本発明を実施形態と共に説明したが、上述した実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
例えば実施形態においてシステム制御部１０１が行うものとして説明した各種制御は、一つのハードウェアが行ってもよいし、複数のハードウェアが処理を分担することで行ってもよい。
また、実施形態においては、本発明をデジタルカメラ１００に適用した場合を例にして説明したが、この例に限定されず、表示対象の拡大表示を行うことのできる表示制御装置として機能する電子機器であれば適用可能である。例えば本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、タブレット端末、スマートフォン、投影装置、ディスプレイを備える家電装置や車載装置、医療機器等に適用可能である。
（その他の実施形態）
本発明は、上述した実施形態の１以上の機能を実現するプログラムを、ネットワーク又は記憶媒体を介してシステム又は装置に供給し、そのシステム又は装置のコンピュータにおける一つ以上のプロセッサーがプログラムを読出し実行する処理でも実現可能である。また、１以上の機能を実現する回路（例えば、ＡＳＩＣ）によっても実現可能である。
【符号の説明】
【００５６】
１００：デジタルカメラ、１０１：システム制御部、１０６：撮像部、１１１：表示部、１１４：不揮発性メモリ、１２７：タッチパネル、２０６：拡大ボタン、５０２：拡大タッチボタン、５０７：拡大表示枠、５０８：拡大を表現する表示アイテム
【図１】
2018206077.tif 000003
【図２】
2018206077.tif 000004
【図３】
2018206077.tif 000005
【図４】
2018206077.tif 000006
【図５】
2018206077.tif 000007